(57)【要約】  本発明は、ユーザー装置に受信される広告メッセージにリンクされたリンク情報に基づき、広告対象のランディングページから広告対象の広告のための広告用情報を収集して、広告コンテンツを生成し、広告コンテンツをユーザー装置に提供して、ユーザー装置のロック画面に表示されるようにするロック画面を用いるメッセージに基づく広告提供システム及び方法に関する。本発明は、ユーザー装置に広告メッセージを転送し、ユーザー装置で広告メッセージをパースして抽出したリンク情報に対応する広告対象のランディングページに基づき、広告コンテンツを生成した後、ユーザー装置に提供して、ユーザー装置のロック画面に表示されることで、広告メッセージに対応する広告対象に関する広告コンテンツを、ユーザー装置を有効化するごとに一番先に表示されるロック画面を介して確認できるようにして、ユーザーの関心を集中させることができ、広告効果を大きく改善する。
2019519832.tif 000002
【特許請求の範囲】
【請求項１】
ユーザー装置とネットワークを介して連結される広告サービスサーバーとで構成されたロック画面を用いるメッセージに基づく広告提供システムにおいて、
ユーザー装置に構成され、前記ユーザー装置に受信されたメッセージをパースし、前記メッセージに含まれる広告対象におけるリンク情報を抽出して、ネットワークを介して前記広告サービスサーバーに転送して、前記リンク情報に対応して、前記広告サービスサーバーから受信したロック画面のコンテンツをロック画面に表示するアプリケーション部；及び
前記ユーザー装置から受信した前記リンク情報に対応する広告対象の広告用情報から前記ロック画面のコンテンツを生成したあと、前記ユーザー装置のアプリケーション部に転送する広告サービスサーバーを含む
ロック画面を用いるメッセージに基づく広告提供システム。
【請求項２】
前記メッセージは、ＳＭＳメッセージ、または、プッシュメッセージである
ことを特徴とする請求項１に記載のロック画面を用いるメッセージに基づく広告提供システム。
【請求項３】
前記アプリケーション部は、前記メッセージをパースして生成された複数のテキストのうち、予め設定された設定情報と一致するテキストが存在する場合のみに前記メッセージに含まれたリンク情報を前記広告サービスサーバーに転送する
ことを特徴とする請求項１に記載のロック画面を用いるメッセージに基づく広告提供システム。
【請求項４】
前記アプリケーション部は、前記リンク情報によるリンク先のアドレスに含まれたドメイン名、または、ＩＰアドレスが予め設定された設定情報と一致する場合のみに前記メッセージに含まれたリンク情報を前記広告サービスサーバーに転送する
ことを特徴とする請求項１に記載のロック画面を用いるメッセージに基づく広告提供システム。
【請求項５】
前記広告用情報は、前記広告対象におけるイメージ情報、商品情報、価格情報、割引情報、前記広告対象のランディングページにおけるリンク情報を含む
ことを特徴とする請求項１に記載のロック画面を用いるメッセージに基づく広告提供システム。
【請求項６】
前記アプリケーション部は、前記ロック画面のコンテンツを受信する時、前記ユーザー装置のロック画面に表示して、前記ユーザー入力によって予め設定された方向に前記ロック画面によるロック状態を解除する場合、前記ロック画面のコンテンツに含まれたリンク情報によって前記広告対象に対応するランディングページに接続して、前記ランディングページを前記ユーザー装置に表示する
ことを特徴とする請求項１に記載のロック画面を用いるメッセージに基づく広告提供システム。
【請求項７】
前記広告サービスサーバーは、予め設定されたコンテンツフォーマットに前記広告用情報を採用して、前記ロック画面のコンテンツを生成する
ことを特徴とする請求項１に記載のロック画面を用いるメッセージに基づく広告提供システム。
【請求項８】
前記広告サービスサーバーは、前記リンク情報といっしょに受信される前記アプリケーション部に予め設定された識別情報に基づいて、前記ユーザー装置とのチャンネルを設定して、該チャンネルを介して前記ロック画面のコンテンツを転送する
ことを特徴とする請求項１に記載のロック画面を用いるメッセージに基づく広告提供システム。
【請求項９】
前記アプリケーション部は、前記ロック画面のコンテンツに前記識別情報を挿入して前記ロック画面に表示する
ことを特徴とする請求項８に記載のロック画面を用いるメッセージに基づく広告提供システム。
【請求項１０】
前記アプリケーション部は、前記ユーザー装置を介するユーザー入力に基づいて、前記ロック画面のコンテンツと連関して、予め設定されたイベント情報が生成される場合、前記イベント情報に対応するリワードを生成したあと、前記広告サービスサーバーに転送して、前記ユーザーに対応して前記リワードが積み立てられるようにして、
前記広告サービスサーバーは、前記広告対象に対応して前記リワードを使うことができるように提供する
ことを特徴とする請求項１に記載のロック画面を用いるメッセージに基づく広告提供システム。
【請求項１１】
前記アプリケーション部は、前記メッセージに含まれたテキスト及びイメージ情報のうち、少なくとも一つを抽出して、前記ロック画面のコンテンツに追加するか、前記メッセージに含まれた広告対象に関するイメージにおける接続アドレスによって接続して、前記広告対象に関するイメージをダウンロードしたあと、前記ロック画面のコンテンツに追加する
ことを特徴とする請求項１に記載のロック画面を用いるメッセージに基づく広告提供システム。
【請求項１２】
前記広告サービスサーバーは、前記ユーザー装置からのリンク情報、または、予め定義されたキーワードを含むテキストを受信し、前記リンク情報、または、前記キーワードに対応する外部サーバーからの前記リンク情報、または、前記キーワードに対応するユーザーの私的情報を収集して、前記私的情報から前記ロック画面のコンテンツを生成する
ことを特徴とする請求項１に記載のロック画面を用いるメッセージに基づく広告提供システム。
【請求項１３】
ユーザー装置に構成されたアプリケーション部が前記ユーザー装置に受信されたメッセージをパースしたあと、前記メッセージに含まれる広告対象におけるリンク情報を抽出して、ネットワークを介して前記広告サービスサーバーに転送するリンク転送段階と；
前記広告サービスサーバーが前記ユーザー装置から受信したリンク情報に対応する広告対象の前記広告用情報からロック画面のコンテンツを生成するコンテンツ生成段階と；
前記広告サービスサーバーが前記ロック画面のコンテンツを、前記ネットワークを介して前記ユーザー装置のアプリケーション部に転送するコンテンツ転送段階；及び
前記アプリケーション部が前記広告サービスサーバーから受信した前記ロック画面のコンテンツを前記ユーザー装置のロック画面に表示する表示段階とを含む
ロック画面を用いるメッセージに基づく広告提供方法。
【請求項１４】
前記メッセージは、ＳＭＳメッセージ、または、プッシュメッセージである
ことを特徴とする請求項１３に記載のロック画面を用いるメッセージに基づく広告提供方法。
【請求項１５】
前記リンク転送段階は、前記アプリケーション部が前記メッセージをパースして生成された複数のテキストのうち、予め設定された設定情報と一致するテキストが存在する場合のみに前記メッセージに含まれたリンク情報を前記広告サービスサーバーに転送する
ことを特徴とする請求項１３に記載のロック画面を用いるメッセージに基づく広告提供方法。
【請求項１６】
前記リンク転送段階は、前記アプリケーション部が前記リンク情報によるリンク先のアドレスに含まれたドメイン名、または、ＩＰアドレスが予め設定された設定情報と一致する場合のみに前記メッセージに含まれたリンク情報を前記広告サービスサーバーに転送する
ことを特徴とする請求項１３に記載のロック画面を用いるメッセージに基づく広告提供方法。
【請求項１７】
前記広告用情報は、広告対象におけるイメージ情報、商品情報、価格情報、割引情報、前記広告対象のランディングページにおけるリンク情報を含む
ことを特徴とする請求項１３に記載のロック画面を用いるメッセージに基づく広告提供方法。
【請求項１８】
前記表示段階は、前記アプリケーション部が前記ロック画面のコンテンツを前記ユーザー装置のロック画面に表示して、前記ユーザー入力によって予め設定された方向に前記ロック画面によるロック状態を解除する場合、前記ロック画面のコンテンツに含まれたリンク情報によって前記広告対象に対応するランディングページに接続して、前記ランディングページを前記ユーザー装置に表示する段階をさらに含む
ことを特徴とする請求項１３に記載のロック画面を用いるメッセージに基づく広告提供方法。
【請求項１９】
前記コンテンツ生成段階は、前記広告サービスサーバーが前記ユーザー装置から受信したリンク情報に対応して、予め設定された前記コンテンツフォーマットによるレイアウトに前記広告用情報を採用して、前記ロック画面のコンテンツを生成する
ことを特徴とする請求項１３に記載のロック画面を用いるメッセージに基づく広告提供方法。
【請求項２０】
前記コンテンツ転送段階は、前記広告サービスサーバーが前記リンク情報といっしょに受信される前記アプリケーション部に予め設定された識別情報に基づいて、前記ユーザー装置とのチャンネルを設定して、該チャンネルを介して前記ロック画面のコンテンツを転送する
ことを特徴とする請求項１３に記載のロック画面を用いるメッセージに基づく広告提供方法。
【請求項２１】
前記表示段階は、前記アプリケーション部が前記ロック画面のコンテンツに前記識別情報を挿入して前記ロック画面に表示する
ことを特徴とする請求項２０に記載のロック画面を用いるメッセージに基づく広告提供方法。
【請求項２２】
前記表示段階のあと、前記アプリケーション部が前記ユーザー装置を介するユーザー入力に基づいて、前記ロック画面のコンテンツと連関して、予め設定されたイベント情報が生成される場合、前記イベント情報に対応するリワードを生成したあと、前記広告サービスサーバーに転送して、前記ユーザーに対応して前記リワードが積み立てられるようにする段階；及び
前記広告サービスサーバーが前記広告対象に対応して前記リワードを使うことができるように提供する段階をさらに含む
ことを特徴とする請求項１３に記載のロック画面を用いるメッセージに基づく広告提供方法。
【発明の詳細な説明】
【技術分野】
【０００１】
本発明は、ロック画面を用いるメッセージに基づく広告提供システム及び方法に関する。さらに詳しくは、ユーザー装置に受信される広告メッセージにリンクされたリンク情報に基づいて、広告対象のランディングページから広告対象の広告のための広告用情報を収集して、広告コンテンツを生成して、該広告コンテンツをユーザー装置に提供して、ユーザー装置のロック画面に表示されるようにするロック画面を用いるメッセージに基づく広告提供システム及び方法に関する。
【背景技術】
【０００２】
移動通信の技術の発展とともに、スマートフォン（Ｓｍａｒｔ  ｐｈｏｎｅ）の普及がどんどん増えて、該スマートフォンを活用した様々な広告方式が登場している。
【０００３】
一例として、広告を提供するための広告サーバーは、ＳＭＳメッセージに広告対象におけるＵＲＬアドレスをリンクし、ユーザーのスマートフォンに転送することによって、ユーザーが該ＳＭＳメッセージにリンクされたＵＲＬアドレスに基づいて、広告対象のウェブページに接続することができるように提供する。
【０００４】
また、前記広告サーバーは、広告主の要請による広告対象におけるＵＲＬアドレスがリンクされるか、アプリケーションにおける固有識別情報が含まれたプッシュメッセージを生成して、ユーザーのスマートフォンに転送し、これによってユーザーが該プッシュメッセージにリンクされたＵＲＬアドレスを介して広告対象におけるランディングページに接続するようにするか、前記プッシュメッセージを選択する場合、前記アプリケーションの固有識別情報に対応するアプリケーションがユーザーのスマートフォンで有効化されて、該アプリケーションを介して広告対象における情報が提供されるようにすることができる。
【０００５】
前述のように、既存の広告方式は、たいていユーザーにＳＭＳやプッシュ型のメッセージを転送して、広告を提供する方式であり、このような既存の広告方式は、次のような問題を有する。
【０００６】
まず、既存の広告方式は、ユーザーが該メッセージを選択して、メッセージ全体の内容を確認しなければならなくて面倒であるため、ユーザーのたいていが受信したメッセージを選択して、確認しないで削除する場合が多くて、広告効果が著しく落ちる問題がある。
【０００７】
また、ユーザーのスマートフォンにメッセージが受信される場合、メッセージの内容の一部のみがユーザーの画面に表示されるため、ユーザーがただちに全体の内容を認識しにくいのみならず、ユーザーの関心を集中させることがむずかしいので、ユーザーの関心の対象におけるメッセージであるにもかかわらず、メッセージ閲覧まで誘導しにくいという問題がある。
【０００８】
他にも、広告主は、広告対象に関するユーザーの関心を誘導するために、広告コンテンツをメッセージに挿入しようとする場合、相異なる広告対象の各々における別途の広告コンテンツを直接製作した後、これをメッセージに挿入して転送するように依頼しなければならない不便さが存在する。
【０００９】
従って、既存の問題を改善して、広告メッセージの内容を別途の入力を介して確認しなければならない手数がなく、ユーザーが広告内容及び広告対象を容易に確認することができるように提供して、ユーザーの関心を集中させることができるとともに、広告対象の購買まで誘導することができて、広告主の広告コンテンツの製作における負担を軽減させることができる効果的な広告方式の開発が要求されている。
【先行技術文献】
【特許文献】
【００１０】
【特許文献１】韓国登録特許第１０−１１２２２１４号公報
【発明の概要】
【発明が解決しようとする課題】
【００１１】
本発明は、ユーザー装置に構成され、ユーザー装置のロック画面を制御するアプリケーションから受信メッセージに含まれた広告対象に関するリンク情報を受信し、該リンク情報に対応する広告対象のランディングページに基づいて、ユーザー装置のロック画面に表示された広告コンテンツを生成したあと、ユーザー装置に提供して、注目度が高くて大きさの大きいロック画面を介して広告コンテンツが提供されるようにすることによって、広告主の別途の広告情報の生成がなくても、ユーザーの関心を集中させて、広告効果を高めるようにすることにその目的がある。
【００１２】
また、本発明は、ユーザー装置のロック画面に表示された広告コンテンツに含まれるリンク情報に基づいて、ロック画面を解除する時、ロック画面で自動的に広告対象に関するランディングページに接続されるようにすることによって、広告閲覧におけるユーザー便宜性を向上させることにその目的がある。
【００１３】
さらに、本発明は、メッセージに基づいて、広告を要請する広告主の広告コンテンツの製作における負担を軽減させ、ロック画面を用いる二重広告ができるようにすることにその目的がある。
【課題を解決するための手段】
【００１４】
本発明の実施例によるユーザー装置とネットワークを介して連結される広告サービスサーバーとで構成されたロック画面を用いるメッセージに基づく広告提供システムは、ユーザー装置に構成され、前記ユーザー装置に受信されたメッセージをパースし、前記メッセージに含まれる広告対象におけるリンク情報を抽出して、ネットワークを介して前記広告サービスサーバーに転送して、前記リンク情報に対応して、前記広告サービスサーバーから受信したロック画面のコンテンツをロック画面に表示するアプリケーション部及び前記ユーザー装置から受信した前記リンク情報に対応する広告対象の広告用情報から前記ロック画面のコンテンツを生成したあと、前記ユーザー装置のアプリケーション部に転送する広告サービスサーバーを含むことができる。
【００１５】
本発明に関する一例として、前記メッセージは、ＳＭＳメッセージ、または、プッシュメッセージであることを特徴とすることができる。
【００１６】
本発明に関する一例として、前記アプリケーション部は、前記メッセージをパースして生成された複数のテキストのうち、予め設定された設定情報と一致するテキストが存在する場合のみに、前記メッセージに含まれたリンク情報を前記広告サービスサーバーに転送することを特徴とすることができる。
【００１７】
本発明に関する一例として、前記アプリケーション部は、前記リンク情報によるリンク先のアドレスに含まれたドメイン名、または、ＩＰアドレスが予め設定された設定情報と一致する場合のみに、前記メッセージに含まれたリンク情報を前記広告サービスサーバーに転送することを特徴とすることができる。
【００１８】
本発明に関する一例として、前記広告用情報は、前記広告対象におけるイメージ情報、商品情報、価格情報、割引情報、前記広告対象のランディングページにおけるリンク情報を含むことを特徴とすることができる。
【００１９】
本発明に関する一例として、前記アプリケーション部は、前記ロック画面のコンテンツを受信する時、前記ユーザー装置のロック画面に表示して、前記ユーザー入力によって予め設定された方向に前記ロック画面によるロック状態を解除する場合、前記ロック画面のコンテンツに含まれたリンク情報によって前記広告対象に対応するランディングページに接続して、前記ランディングページを前記ユーザー装置に表示することを特徴とすることができる。
【００２０】
本発明に関する一例として、前記広告サービスサーバーは、予め設定されたコンテンツフォーマットに前記広告用情報を採用して、前記ロック画面のコンテンツを生成することを特徴とすることができる。
【００２１】
本発明に関する一例として、前記広告サービスサーバーは、前記リンク情報といっしょに受信される前記アプリケーション部に予め設定された識別情報に基づいて、前記ユーザー装置とのチャンネルを設定して、該チャンネルを介して前記ロック画面のコンテンツを転送することを特徴とすることができる。
【００２２】
本発明に関する一例として、前記アプリケーション部は、前記ロック画面のコンテンツに前記識別情報を挿入して前記ロック画面に表示することを特徴とすることができる。
【００２３】
本発明に関する一例として、前記アプリケーション部は、前記ユーザー装置を介するユーザー入力に基づいて、前記ロック画面のコンテンツと連関して、予め設定されたイベント情報が生成される場合、前記イベント情報に対応するリワードを生成したあと、前記広告サービスサーバーに転送して、前記ユーザーに対応して前記リワードが積み立てられるようにして、前記広告サービスサーバーは、前記広告対象に対応して前記リワードを使うことができるように提供することを特徴とすることができる。
【００２４】
本発明に関する一例として、前記アプリケーション部は、前記メッセージに含まれたテキスト及びイメージ情報のうち、少なくとも一つを抽出して、前記ロック画面のコンテンツに追加するか、前記メッセージに含まれた広告対象に関するイメージにおける接続アドレスによって接続して、前記広告対象に関するイメージをダウンロードしたあと、前記ロック画面のコンテンツに追加することを特徴とすることができる。
【００２５】
本発明に関する一例として、前記広告サービスサーバーは、前記ユーザー装置からのリンク情報、または、予め定義されたキーワードを含むテキストを受信し、前記リンク情報、または、前記キーワードに対応する外部サーバーからの前記リンク情報、または、前記キーワードに対応するユーザーの私的情報を収集して、前記私的情報から前記ロック画面のコンテンツを生成することを特徴とすることができる。
【００２６】
本発明の実施例によるロック画面を用いるメッセージに基づく広告提供方法は、ユーザー装置に構成されたアプリケーション部が前記ユーザー装置に受信されたメッセージをパースしたあと、前記メッセージに含まれる広告対象におけるリンク情報を抽出して、ネットワークを介して前記広告サービスサーバーに転送するリンク転送段階と、前記広告サービスサーバーが前記ユーザー装置から受信したリンク情報に対応する広告対象の前記広告用情報からロック画面のコンテンツを生成するコンテンツ生成段階と、前記広告サービスサーバーが前記ロック画面のコンテンツを、前記ネットワークを介して前記ユーザー装置のアプリケーション部に転送するコンテンツ転送段階及び前記アプリケーション部が前記広告サービスサーバーから受信した前記ロック画面のコンテンツを前記ユーザー装置のロック画面に表示する表示段階とを含むことができる。
【００２７】
本発明に関する一例として、前記メッセージは、ＳＭＳメッセージ、または、プッシュメッセージであることを特徴とすることができる。
【００２８】
本発明に関する一例として、前記リンク転送段階は、前記アプリケーション部が前記メッセージをパースして生成された複数のテキストのうち、予め設定された設定情報と一致するテキストが存在する場合のみに前記メッセージに含まれたリンク情報を前記広告サービスサーバーに転送することを特徴とすることができる。
【００２９】
本発明に関する一例として、前記リンク転送段階は、前記アプリケーション部が前記リンク情報によるリンク先のアドレスに含まれたドメイン名、または、ＩＰアドレスが予め設定された設定情報と一致する場合のみに前記メッセージに含まれたリンク情報を前記広告サービスサーバーに転送することを特徴とすることができる。
【００３０】
本発明に関する一例として、前記広告用情報は、広告対象におけるイメージ情報と、商品情報と、価格情報と、割引情報と、前記広告対象のランディングページにおけるリンク情報とを含むことを特徴とすることができる。
【００３１】
本発明に関する一例として、前記表示段階は、前記アプリケーション部が前記ロック画面のコンテンツを前記ユーザー装置のロック画面に表示して、前記ユーザー入力によって予め設定された方向に前記ロック画面によるロック状態を解除する場合、前記ロック画面のコンテンツに含まれたリンク情報によって前記広告対象に対応するランディングページに接続して、前記ランディングページを前記ユーザー装置に表示する段階をさらに含むことを特徴とすることができる。
【００３２】
本発明に関する一例として、前記コンテンツ生成段階は、前記広告サービスサーバーが前記ユーザー装置から受信したリンク情報に対応して、予め設定された前記コンテンツフォーマットによるレイアウトに前記広告用情報を採用して、前記ロック画面のコンテンツを生成することを特徴とすることができる。
【００３３】
本発明に関する一例として、前記コンテンツ転送段階は、前記広告サービスサーバーが前記リンク情報といっしょに受信される前記アプリケーション部に予め設定された識別情報に基づいて、前記ユーザー装置とのチャンネルを設定して、該チャンネルを介して前記ロック画面のコンテンツを転送することを特徴とすることができる。
【００３４】
本発明に関する一例として、前記表示段階は、前記アプリケーション部が前記ロック画面のコンテンツに前記識別情報を挿入して前記ロック画面に表示することを特徴とすることができる。
【００３５】
本発明に関する一例として、ロック画面を用いるメッセージに基づく広告提供方法は、前記表示段階のあと、前記アプリケーション部が前記ユーザー装置を介するユーザー入力に基づいて、前記ロック画面のコンテンツと連関して、予め設定されたイベント情報が生成される場合、前記イベント情報に対応するリワードを生成したあと、前記広告サービスサーバーに転送して、前記ユーザーに対応して前記リワードが積み立てられるようにする段階及び前記広告サービスサーバーが前記広告対象に対応して前記リワードを使うことができるように提供する段階とをさらに含むことを特徴とすることができる。
【発明の効果】
【００３６】
本発明は、ユーザー装置に広告メッセージを転送して、ユーザー装置で前記広告メッセージをパースして抽出したリンク情報に対応する広告対象のランディングページに基づいて、広告コンテンツを生成したあと、ユーザー装置に提供して、ユーザー装置のロック画面に表示されるようにすることによって、広告メッセージに対応する広告対象に関する広告コンテンツを、ユーザー装置を有効化するごとに一番先に表示されるロック画面を介して確認することができるように提供して、ユーザーの関心を集中させることができるとともに、ユーザーにおける広告露出の頻度を高めることができて、広告効果を大きく改善する効果がある。
【００３７】
また、本発明は、広告コンテンツが表示されたロック画面を解除する時、ロック画面にリンクされた広告コンテンツに対応する広告対象のランディングページに自動接続するように提供することによって、広告対象の購買におけるユーザー便宜性を大きく向上させるとともに、これを通じてユーザーの広告対象における購買率を高めることができる効果がある。
【００３８】
さらに、本発明は、広告対象における広告を依頼する広告主にユーザー装置に転送するための別途の広告コンテンツの製作を要求する必要なく、広告主から提供されるメッセージと広告主の広告対象におけるランディングページに基づいて、独自の広告主の広告対象に関する広告コンテンツを自動生成して、ユーザー装置のロック画面に表示されるようにすることができて、広告製作における広告主の負担を軽減させるとともに、広告便宜性を大きく高める効果がある。
【図面の簡単な説明】
【００３９】
【図１】本発明の実施例によるロック画面を用いるメッセージに基づく広告提供システムの構成環境図である。
【図２】本発明の実施例によるロック画面を用いるメッセージに基づく広告提供システムのメッセージ転送過程における動作例示図である。
【図３】本発明の実施例によるロック画面を用いるメッセージに基づく広告提供システムの広告コンテンツ生成及びロック画面を用いる広告コンテンツ表示における動作例示図である。
【図４】本発明の実施例によるロック画面を用いるメッセージに基づく広告提供システムの広告コンテンツ生成及びロック画面を用いる広告コンテンツ表示における動作例示図である。
【図５】本発明の実施例によるユーザー装置で広告コンテンツが表示されたロック画面のロック解除を介するランディングページの表示過程における動作例示図である。
【図６】本発明の実施例による広告サービスサーバーの相異なるリンク情報別の相異なる広告コンテンツ生成における動作例示図である。
【図７】本発明の実施例による広告サービスサーバーのイベント情報に基づくリワード支給における動作例示図である。
【図８】本発明の実施例によるユーザー装置に構成されたアプリケーション部の詳細構成図である。
【図９】本発明の実施例による広告サービスサーバーの詳細構成図である。
【図１０】本発明の実施例によるロック画面を用いるメッセージに基づく広告提供方法における順序図である。
【発明を実施するための形態】
【００４０】
以下、図面を参照して本発明の詳細実施例を説明する。
図１は、本発明の実施例によるロック画面を用いるメッセージに基づく広告提供システムの構成環境図であって、図示のように、ユーザー装置１０に構成され、ユーザー装置１０のロック画面に広告コンテンツ（ｃｏｎｔｅｎｔｓ）を表示するアプリケーション部１００を含むユーザー装置１０は、ネットワークを介してユーザー装置１０のアプリケーション部１００にユーザー装置１０のロック画面に表示される広告コンテンツを生成して、提供する広告サービスサーバー２００を含むことができる。
【００４１】
また、前記アプリケーション部１００は、前記ユーザー装置１０を介するユーザー入力によって前記ロック画面を解除する場合、前記広告コンテンツに含まれたリンク（ｌｉｎｋ）情報によってネットワークを介して広告対象を提供する広告主サーバー３００に接続して、前記広告コンテンツに対応する広告対象のウェブページ（Ｗｅｂ  ｐａｇｅ）であるランディングページ（Ｌａｎｄｉｎｇ  Ｐａｇｅ）に接続することができる。
【００４２】
この時、前記広告サービスサーバー２００で前記ランディングページを提供することもできて、前記広告主サーバー３００は、商品を販売するショッピングモール（ｓｈｏｐｐｉｎｇ  ｍａｌｌ）のサーバーのみならず、ゲーム（ｇａｍｅ）及び該ゲームで使われるアイテム（ｉｔｅｍ）を提供するゲームサービスサーバー、または、様々なアプリケーションを提供するアプリケーションストア（Ａｐｐ  ｓｔｏｒｅ）サーバーなどのような様々なサーバーを含むことができる。
【００４３】
また、前記ユーザー装置１０は、様々な通信方式を提供するスマートフォン（Ｓｍａｒｔ  ｐｈｏｎｅ）、移動通信端末機などを含むことができる。
【００４４】
また、前記ネットワークは、広く知られた様々な有無線通信方式が採用されることができて、前記アプリケーション部１００は、前記ユーザー装置１０の制御部によって実行されるオペレーティングシステム（Ｏｐｅｒａｔｉｎｇ  Ｓｙｓｔｅｍ）に基づいて駆動されて、前記ユーザー装置１０に設置されるアプリケーション（ａｐｐｌｉｃａｔｉｏｎ）を意味することもある。
【００４５】
前述の構成で、前記広告主サーバーは、広告対象における広告に関するメッセージ（ｍｅｓｓａｇｅ）を前記ユーザー装置１０に転送して、前記ユーザー装置１０のアプリケーション部１００は、前記メッセージをパース（ｐａｒｓｉｎｇ）して、リンク情報を抽出したあと、前記ネットワークを介して前記広告サービスサーバー２００に転送して、前記広告サービスサーバー２００から前記リンク情報に対応する広告コンテンツを受信したあと、該広告コンテンツをロック画面に表示することによって、ユーザー装置１０を有効化するごとにロック画面を介して広告コンテンツが表示されるようにして、ユーザーの関心を集中させて、広告効率を高めるように構成されるが、これにおける詳細構成を以下の図面を介して詳しく説明する。
【００４６】
まず、図２は、メッセージに基づいて、広告を提供する広告主サーバーのメッセージ転送過程における図面であって、図示のように、前記広告主サーバー３００は、ユーザー装置１０に広告メッセージ１を転送することができる。
【００４７】
この時、前記広告主サーバー３００は、予め登録されたユーザー装置１０の識別情報（または、会員情報）に対応するユーザー装置１０に広告メッセージ１をＳＭＳ（Ｓｈｏｒｔ  Ｍｅｓｓａｇｅ  Ｓｅｒｖｉｃｅ）メッセージに転送するか、ネットワークを介して連結されたプッシュ（Ｐｕｓｈ）サーバー４００を介して前記広告メッセージ１をプッシュメッセージに転送することができる。
【００４８】
また、前記プッシュサーバー４００は、前記広告主サーバー２００に含まれることができて、前記広告主サーバー２００で前記ユーザー装置１０に前記プッシュメッセージを転送することができる。
【００４９】
また、前記広告主サーバー２００は、前記広告メッセージ１に対応する広告対象における接続アドレスを含むリンク情報を前記広告メッセージ１に含ませて（リンクさせて）前記ユーザー装置１０に転送することができる。この時、前記接続アドレスは、ＵＲＬ（Ｕｎｉｆｏｒｍ  Ｒｅｓｏｕｒｃｅ  Ｌｏｃａｔｏｒ）アドレスであることがある。
【００５０】
一方、図３は、本発明の実施例によるロック画面を用いるメッセージに基づく広告提供システムで広告主サーバーから提供されたメッセージに基づいて、ロック画面に関するコンテンツを提供する過程における動作例示図であって、図示のように、前記ユーザー装置１０のアプリケーション部１００は、前記ユーザー装置１０を介して前記広告主サーバー３００から広告メッセージ１を受信する時、前記広告メッセージ１をパースして、前記広告メッセージ１の内容にリンク情報が存在するか判断することができて、リンク情報が存在する場合、該リンク情報を広告メッセージ１から抽出したあと、前記広告サービスサーバー２００に転送することができる。
【００５１】
この時、前記アプリケーション部１００は、前記広告メッセージ１をパースして生成された複数のテキスト（ｔｅｘｔ）のうち、予め設定された設定情報と一致するテキストが存在する場合のみに前記広告メッセージ１に含まれたリンク情報を前記広告サービスサーバー２００に転送することができる。
【００５２】
また、前記アプリケーション部１００は、前記リンク情報による接続アドレスに含まれたドメイン（ｄｏｍａｉｎ）名、または、ＩＰ（Ｉｎｔｅｒｎｅｔ  Ｐｒｏｔｏｃｏｌ）アドレスが予め設定された設定情報と一致する場合のみに前記メッセージに含まれたリンク情報を前記広告サービスサーバー２００に転送することもできる。
【００５３】
これを通じて、前記アプリケーション部１００は、前記広告サービスサーバー２００から提供された広告メッセージにおいてのみ、前記リンク情報を抽出して、前記広告サービスサーバー２００に提供するように構成されることによって、前記広告サービスサーバー２００の負荷を軽減させることができる。
【００５４】
一方、前記広告サービスサーバー２００は、前記ユーザー装置１０からのリンク情報を受信する時、前記リンク情報に対応する広告対象のウェブページであるランディングページに接続することができて、該ランディングページから前記ユーザー装置１０のロック状態によるロック画面に対応して、予め設定されたコンテンツフォーマット（ｆｏｒｍａｔ）と連関される広告用情報を収集して、コンテンツＤＢ２０１に保存することができる。
【００５５】
この時、前記広告用情報は、前記コンテンツフォーマットに予め設定された相異なる一つ以上の属性に各々対応する情報を意味することがあって、前記各属性は、データの種類、メタデータ（ｍｅｔａｄａｔａ）などを含むことができる。
【００５６】
一例として、前記広告用情報は、前記広告対象における代表イメージ情報、商品名を含む商品情報、価格情報、割引情報、前記ランディングページにおけるリンク情報などを含むことができて、前記代表イメージ情報は、イメージデータのみならず、映像データ、または、フラッシュ（ｆｌａｓｈ）データなどを含むことができる。
【００５７】
また、前記広告サービスサーバー２００は、前記リンク情報受信の前に前記ユーザー装置１０に送信する広告メッセージ１に含まれたリンク情報に基づいて、予め前記広告用情報を収集したあと、前記リンク情報とマッチングして、前記コンテンツＤＢ２０１に保存することもできる。
【００５８】
一方、前記広告サービスサーバー２００は、前記ランディングページから収集した広告用情報に基づいて、前記ユーザー装置１０のロック状態によるロック画面に対応して、予め設定されたコンテンツフォーマットに前記広告用情報を採用して、広告対象における広告コンテンツを生成することができる。
【００５９】
この時、前記広告サービスサーバー２００は、前記ユーザー装置１０から受信した前記リンク情報に基づいて、前記コンテンツＤＢ２０１を検索して前記リンク情報に対応する前記広告用情報をコンテンツＤＢ２０１から抽出したあと、該広告用情報を用いて前記広告コンテンツを生成することもできる。
【００６０】
また、前記コンテンツフォーマットは、相異なるメタデータ別に配置領域、大きさ及びフォント（ｆｏｎｔ）の種類などにおける設定値と前記代表イメージ情報の配置領域、大きさ、解像度などにおける設定値などを含み、ユーザー装置１０のロック画面に対応するレイアウト（ｌａｙｏｕｔ）が設定されることができる。
【００６１】
これによって、前記広告サービスサーバー２００は、前記コンテンツフォーマットによって前記広告用情報に含まれる広告対象のイメージを前記レイアウトによる大きさ及び解像度で調節して、前記レイアウトによる予め設定された領域に配置するか、広告対象の商品情報におけるテキストを前記レイアウトによる予め設定されたフォント及び大きさによって調節したあと、前記レイアウトによる予め設定された領域に配置して前記広告コンテンツを生成することができる。
【００６２】
また、前記広告サービスサーバー２００は、前記コンテンツフォーマットによって前記広告対象のランディングページにおける接続アドレスを含むリンク情報を前記広告用情報から抽出したあと、前記広告コンテンツに挿入して前記ユーザー装置１０に転送することができる。
【００６３】
前述の構成で、前記ユーザー装置１０のアプリケーション部１００は、前記ユーザー装置１０を介して前記広告サービスサーバー２００とのセッション（ｓｅｓｓｉｏｎ）連結のための通信チャンネル（ｃｈａｎｎｅｌ）を割り当てて、該通信チャンネルを介して前記リンク情報を転送して、前記リンク情報に対応する広告コンテンツを受信することができる。
【００６４】
また、前記ユーザー装置１０のアプリケーション部１００は、前記リンク情報を転送する時、前記ユーザー装置１０に対応する電話番号、ＩＰアドレス、または、ＭＡＣ（ｍｅｄｉａ  ａｃｃｅｓｓ  ｃｏｎｔｒｏｌ）情報や前記アプリケーション部１００に予め設定された固有ＩＤ、または、ユーザーの会員ＩＤのうち、少なくとも一つを含む識別情報を前記リンク情報といっしょに前記広告サービスサーバー２００に転送することができる。
【００６５】
これによって、前記広告サービスサーバー２００で前記識別情報に基づいて、前記ユーザー装置１０のアプリケーション部１００とセッション連結のための通信チャンネルを割り当てたあと、前記リンク情報に対応する広告コンテンツを、該通信チャンネルを介して前記ユーザー装置１０のアプリケーション部１００に転送することができる。
【００６６】
一方、図４は、本発明の実施例によるユーザー装置で前記広告コンテンツをロック画面に表示する過程における動作例示図であって、図示のように、前記ユーザー装置１０のアプリケーション部１００は、前記広告サービスサーバー２００から受信した広告コンテンツをユーザー装置１０のロック状態によるロック画面に表示することができる。
【００６７】
この時、本発明に関する「ロック画面」を詳しく説明すると、前記ユーザー装置１０は、ユーザーの意思とは関係ないタッチスクリーンや外部入力ボタンなどを介する入力が持続的に発生して誤作動することを防止するためにロック状態が設定されている。
【００６８】
従って、前記ユーザー装置１０は、前記ロック状態によってユーザー装置１０の最初駆動の時、前記ロック画面をディスプレイに表示するようになり、前記ロック状態の解除に対応する既設定の入力が受信されてからこそ、ロック（ロック状態）を解除して、求める機能を使えるようにする。
【００６９】
また、本発明によるアプリケーション部１００は、アップル（登録商標）のモバイルオペレーティングシステムであるｉＯＳと、グーグル（登録商標）のモバイルオペレーティングシステムであるアンドロイド（登録商標）などで実行されるのが好ましいが、これに限られることはない。
【００７０】
これによって、前記アプリケーション部１００は、広告メッセージがユーザーによって閲覧される前に、たいてい削除されるか、無視されて、広告効果が著しく落ちる問題を改善し、広告メッセージに含まれたリンク情報に対応するロック画面のための広告コンテンツを広告サービスサーバー２００から受信して、ユーザー装置１０のロック画面に表示することによって、ユーザーがロック画面を介してユーザー装置１０を有効化するごとに広告内容及び広告対象を確認することができるように提供することができて、これを通じて広告効果を著しく高めることができる。
【００７１】
一方、前述の構成で前記アプリケーション部１００は、前記広告コンテンツに前記ユーザー装置１０に対応するユーザーの会員ＩＤ、または、ユーザーの氏名を含む識別情報を挿入して前記ロック画面に表示することもできる。
【００７２】
また、前述の構成で前記広告サービスサーバー２００は、前記ランディングページからＱＲコード（登録商標）（Ｑｕｉｃｋ  Ｒｅｓｐｏｎｓｅ  Ｃｏｄｅ）、バーコード（Ｂａｒ  ｃｏｄｅ）、クーポンなどのようなクーポン情報を広告用情報として収集したあと、前記コンテンツフォーマットに採用して、前記広告コンテンツに前記クーポン情報を追加することもできる。
【００７３】
これを通じて、前記ユーザー装置１０のアプリケーション部１００は、前記クーポン情報が含まれた広告コンテンツをロック画面に表示して、前記クーポン情報を商品の割引、または、即時決済に使えるように提供することができる。
【００７４】
前述の構成に加えて、前記広告主サーバー３００が前記ユーザー装置１０に転送するメッセージが前記広告主サーバー３００に登録される前記ユーザーに関する写真や映像の登録の可否を知らせるためのお知らせメッセージ、または、前記広告主サーバー３００が提供するメッセンジャーを用いるユーザーに関する対話メッセージであるか、ユーザーの関心商品が登録されたカート情報による関心商品の購買誘導メッセージなどのような特定のサービスに関するメッセージである場合、前記広告主サーバー３００は、前記特定のサービスに関するメッセージに対応する写真、映像、カート情報、または、対話メッセージなどのようなユーザーに関する私的情報に接続することのできるリンク情報を前記メッセージに追加して、前記ユーザー装置１０に転送することができる。
【００７５】
この時、前記特定のサービスを提供する広告主サーバー３００の一例として、ＳＮＳ（Ｓｏｃｉａｌ  Ｎｅｔｗｏｒｋｉｎｇ  Ｓｅｒｖｉｃｅ）サーバーやショッピングモールサーバーが前記広告主サーバー３００で構成されることができる。
【００７６】
これによって、前記ユーザー装置１０のアプリケーション部１００は、前記メッセージからのリンク情報を抽出して、前記広告サービスサーバー２００に転送することができて、前記広告サービスサーバー２００は、前記リンク情報によって前記広告主サーバー３００に接続して、前記広告主サーバー３００が転送したメッセージに関する私的情報を収集して、前記私的情報を予め設定された前記コンテンツフォーマットに採用して、ユーザー装置１０のロック画面に表示するための個人コンテンツを生成することができる。
【００７７】
一例として、前記広告サービスサーバー２００は、前記リンク情報によって前記広告主サーバー３００からユーザーに関する様々な写真データを収集したあと、一つ以上の写真データを予め設定されたコンテンツフォーマットによるレイアウトに合わせて解像度、大きさなどを調節して、前記コンテンツフォーマットに採用することができて、これを通じてユーザー装置１０のロック画面に表示するための個人コンテンツを生成することができる。
【００７８】
一方、前記ユーザー装置１０のアプリケーション部１００は、前記個人コンテンツを前記広告サービスサーバー２００から受信して、前記ユーザー装置１０のロック画面に表示することができて、これを通じてユーザーに関する様々な情報がロック画面を介して提供されるようにすることができる。
【００７９】
即ち、本発明は、サーバーに登録されるユーザーに関する最新情報を、ロック画面を介して便利にユーザーが確認することができるように提供するとともに、ユーザーの操作や介入なしでサーバーにユーザーと関して登録された写真や映像を用いて自動的にロック画面のためのコンテンツを生成して、該コンテンツを用いてロック画面を飾るように提供することができる。
【００８０】
この時、前記広告主サーバー３００は、前記私的情報を、ユーザー認証を介して確認されたユーザーに限って提供するように構成されることができる。
【００８１】
これによって、前記広告サービスサーバー２００は、前記広告主サーバー３００の前記私的情報に接近可能な前記ユーザーの認証情報を前記ユーザー装置１０のアプリケーション部１００から受信して、会員ＤＢに保存される前記識別情報とマッチングして、前記会員ＤＢに予め保存して、前記ユーザー装置１０から受信したリンク情報によって前記広告主サーバー３００に接続する時、前記ユーザー装置１０の識別情報に対応する認証情報を前記会員ＤＢから抽出して、前記広告主サーバー３００に提供して、ユーザー認証がなされるようにすることによって、前記私的情報を収集することができる。
【００８２】
他にも、前記広告サービスサーバー２００は、前記リンク情報に対応する私的情報の収集のための前記リンク情報を含む要請情報を前記広告主サーバー３００に転送して、前記リンク情報に対応する私的情報を前記広告主サーバー３００に要請することもできて、これを通じて前記広告主サーバー３００から前記リンク情報に対応する私的情報を収集することもできる。
【００８３】
または、前記広告主サーバー３００は、前記広告サービスサーバー２００と事前に決められたキーワード（ｋｅｙｗｏｒｄ）を含むメッセージを前記ユーザー装置１０に転送することができて、前記ユーザー装置１０のアプリケーション部１００は、前記メッセージから前記キーワードを含むテキストを前記広告サービスサーバー２００に転送することができる。
【００８４】
これによって、前記広告サービスサーバー２００は、前記テキストを受信した時、前記テキストに含まれる予め定義されたキーワードを識別して、前記キーワードに対応して予め設定された前記広告主サーバー３００に前記キーワードを転送して、前記キーワードに対応する私的情報を要請することができて、前記広告主サーバー３００から前記キーワードに対応する私的情報を受信したあと、前記コンテンツフォーマットに採用して、前記個人コンテンツを生成することもできる。
【００８５】
この時、前記広告サービスサーバー２００は、前記テキストをパースして、複数のキーワードを生成して、各キーワードを予め定義されたキーワードと比べてキーワードに基づいて、広告主サーバー３００を認識することができて、前記私的情報を受信するための私的情報に関するキーワードを識別して、前記広告主サーバー３００に前記私的情報に関するキーワードを転送することができる。
【００８６】
また、前述の前記私的情報は、広告を除いた前記広告主サーバー３００によって事前に定義された情報であることもある。
【００８７】
一方、本発明で説明するロック画面のための広告コンテンツ及び個人コンテンツは、ロック画面のためのロック画面のコンテンツを意味することがある。
【００８８】
前述の構成の他にも、前記広告主サーバー３００は、前記ユーザー装置１０に転送する広告メッセージにテキストのみならず、広告対象に関するイメージ情報、または、該広告対象のイメージが保存された接続アドレスにおけるイメージリンク情報を追加して、前記ユーザー装置１０に転送することができる。
【００８９】
これによって、前記ユーザー装置１０のアプリケーション部１００は、前記広告メッセージに含まれたリンク情報を前記広告サービスサーバー２００に転送して、前記リンク情報に対応するロック画面のコンテンツを受信する場合、前記ロック画面のコンテンツに前記広告メッセージに含まれたテキスト及びイメージ情報のうち、少なくとも一つを抽出して、前記ロック画面のコンテンツに追加するか、前記イメージリンク情報による接続アドレスに接続して、前記広告対象のイメージをダウンロードしたあと、前記ロック画面のコンテンツに追加することができる。
【００９０】
これを通じて、本発明は、広告メッセージに含まれる様々なイメージがロック画面のコンテンツに追加挿入されるようにすることによって、ロック画面を介して広告対象に関する詳しくて様々な情報を提供することができる。
【００９１】
一方、図５は、本発明の実施例によるユーザー装置で広告コンテンツが表示されたロック画面のロック解除を介するランディングページの表示過程における動作例示図であって、図示のように、前記ユーザー装置１０のアプリケーション部１００は、前記ロック画面で前記ユーザー装置１０を介するユーザー入力に基づいて、予め設定された方向に前記ロック画面によるロック状態を解除する場合、前記広告コンテンツに含まれたリンク情報によって前記ランディングページに自動接続して、前記ランディングページを前記ユーザー装置１０のディスプレイに表示することができる。
【００９２】
一例として、前記アプリケーション部１００は、前記ロック画面を解除して、前記広告コンテンツにおけるランディングページに接続するための第１入力方向と前記ロック画面を単純解除する第２入力方向におけるインターフェースを前記ロック画面に前記広告コンテンツといっしょに表示することができる。
【００９３】
これによって、前記アプリケーション部１００は、ユーザー装置１０を介するユーザー入力に基づいて、前記インターフェースを介して前記第１入力方向に対応するスワイプ（ｓｗｉｐｅ）、スライド（ｓｌｉｄｅ）、または、ドラッグ（ｄｒａｇ）入力が受信された場合、前記ロック画面を解除したあと、前記広告コンテンツに含まれたリンク情報による接続アドレスに基づいて、前記広告コンテンツに対応するランディングページに接続して、該ランディングページをユーザー装置１０の画面上に表示することができる。
【００９４】
一方、前記アプリケーション部１００は、前記広告コンテンツが表示されたロック画面で前記インターフェースを介して前記第２入力方向におけるユーザー入力を受信した時、ロック画面によるロック状態を解除して、前記ユーザー装置１０に設置されたオペレーティングシステムによる予め設定されたホーム（Ｈｏｍｅ）画面が前記ユーザー装置１０の画面に出力されるようにすることができる。
【００９５】
前述の構成を通じて、本発明による前記アプリケーション部１００は、前記ロック画面の解除における簡単な入力のみでロック画面に表示された広告コンテンツに対応するランディングページに直ちに接続することができるように提供して、ユーザー便宜性を改善して、単純広告のみならず、広告対象の購買に繋がるように誘導することができる。
【００９６】
一方、図６に図示のように、前記広告サービスサーバー２００は、相異なる広告メッセージ各々に対応して相異なるコンテンツフォーマットが予め設定されることができて、これを通じて相異なる広告メッセージ各々に対応して最適のコンテンツフォーマットを採用した最適の広告コンテンツを生成して、ユーザー装置１０に提供することができる。
【００９７】
一例として、前記広告サービスサーバー２００は、前記広告主サーバー３００から広告メッセージと複数のコンテンツフォーマットのうち、広告主によって選択されたコンテンツフォーマットにおける選択情報を受信して、前記広告メッセージと前記選択情報によって選択されたコンテンツフォーマットをマッチングして、前記コンテンツＤＢ２０１に保存することができる。
【００９８】
これを通じて、前記コンテンツＤＢ２０１には、相異なる広告対象の広告メッセージ各々に対応して広告コンテンツを生成するための相異なるコンテンツフォーマットが保存されることができる。
【００９９】
また、前記広告サービスサーバー２００は、ユーザー装置１０のアプリケーション部１００から第１リンク情報が受信される場合、前記コンテンツＤＢ２０１から前記第１リンク情報が含まれた広告メッセージに対応して、保存されたＡコンテンツフォーマットを抽出して、前記第１リンク情報に対応するランディングページから収集した広告用情報を前記Ａコンテンツフォーマットによるレイアウトに採用して、第１広告コンテンツを生成したあと、これを前記ユーザー装置１０のアプリケーション部１００に転送して、前記ユーザー装置１０のロック画面に表示されるようにすることができる。
【０１００】
また、前記広告サービスサーバー２００は、第２リンク情報が受信される場合、前記コンテンツＤＢ２０１から第２リンク情報が含まれた広告メッセージに対応して、保存されたＢコンテンツフォーマットを抽出して、前記第２リンク情報に対応するランディングページから収集した広告用情報を前記Ｂコンテンツフォーマットによるレイアウトに採用して、前記第１広告コンテンツのコンテンツフォーマットと相異なるコンテンツフォーマットを有する第２広告コンテンツを生成したあと、これを前記ユーザー装置１０のアプリケーション部１００に転送して、前記ユーザー装置１０のロック画面に表示されるようにすることができる。
【０１０１】
前述の構成を通じて、前記広告サービスサーバー２００は、広告対象別に広告効率を高めることができる最適のフォーマットを設定して保存して、前記最適のフォーマットによる広告コンテンツを生成して、ユーザー装置１０のロック画面に表示されるようにすることによって、広告効率をさらに高めることができる。
【０１０２】
一方、前記ユーザー装置１０のアプリケーション部１００は、前記ユーザー装置１０のロック画面に表示された広告コンテンツにおいて、ユーザー装置１０を介するユーザー入力による予め設定されたイベント（ｅｖｅｎｔ）情報が発生した時、リワード（ｒｅｗａｒｄ）を支給して、前記広告コンテンツに対応する広告対象を購買する時、該リワードを使えるように提供することができるが、これにおける詳細構成を、図７を参照して説明する。
【０１０３】
一例として、図示のように、前記ユーザー装置１０のアプリケーション部１００は、前記広告コンテンツをロック画面に表示して、前記ユーザー装置１０を介するユーザー入力によって前記広告コンテンツに含まれたリンク情報によるランディングページに接続するイベントが発生する場合、これにおけるイベント情報を生成して、前記イベント情報を前記広告サービスサーバー２００に転送することができる。
【０１０４】
また、前記ユーザー装置１０のアプリケーション部１００は、前記広告コンテンツに含まれたリンク情報を介して前記広告コンテンツに対応する広告対象のランディングページに接続して、該広告対象における購買入力が発生した場合、これにおけるイベント情報を生成して、前記広告サービスサーバー２００に転送することができる。
【０１０５】
これによって、前記広告サービスサーバー２００は、前記イベント情報を予め設定されたリワード生成の条件と比べて前記リワード生成の条件に対応するイベント情報が受信された場合、前記イベント情報に対応するリワードを生成したあと、前記ユーザー装置１０に対応する識別情報とマッチングして、会員ＤＢに累積積立することができる。
【０１０６】
また、前記広告サービスサーバー２００は、前記広告コンテンツに対応する広告対象を販売する広告主サーバー３００に前記リワードにおけるリワード情報を提供することもできて、これによって前記広告主サーバー３００を介する前記広告対象を購買する時、前記リワードを広告対象の購買に採用することができるように提供する。
【０１０７】
この時、本発明で説明するリワードは、広告対象と連関してユーザーに支給される一種のサイバーマネー（ｃｙｂｅｒ  ｍｏｎｅｙ）であることがある。
【０１０８】
さらに、前記ユーザー装置１０のアプリケーション部１００に前記リワード生成の条件が設定されることもできて、前記アプリケーション部１００は、前記イベント情報を生成する時、予め設定されたリワード生成の条件と比べて、前記リワード生成の条件に対応するイベント情報が生成された場合、これにおけるリワードを生成して、該リワードにおけるリワード情報とユーザー装置１０（または、ユーザー）に対応する識別情報を前記広告サービスサーバー２００に転送して、会員ＤＢに該リワード情報によるリワードがユーザーに対応して累積積立されるようにすることができて、前述の構成を介して広告対象における商品を購買する時、前記リワードを用いる割引特典を受けることができるように提供することができる。
【０１０９】
このように、本発明は、ロック画面に表示された広告コンテンツに対応する広告対象のランディングページに接続するか、商品の購買がなされた場合のような予め設定されたイベントが発生した時、リワードを提供して、商品を購買する時、割引特典を受けることができるように支援することによって、広告対象におけるユーザーの積極的な購買を誘導して広告効率を向上させることができる。
【０１１０】
図８は、本発明の実施例による前記アプリケーション部１００の詳細構成図であって、図示のように、有効化部１１０と、メッセージパース部１２０と、イベント感知部１５０と、ロック画面連動部１３０及び制御部１４０とを含むことができる。
【０１１１】
前記有効化部１１０は、前記ユーザー装置１０に構成されたユーザーインターフェース部１１を介するユーザー入力を受信して、前記アプリケーション部１００の有効化、または、無効化における選択情報が入力されることができて、前記選択情報を前記制御部１４０に提供することができる。
【０１１２】
前記制御部１４０は、前記選択情報によって有効化された場合、前記アプリケーション部１００に構成された各構成部を有効化して、前記制御部１４０は、前記ユーザー装置１０に構成された通信部１２を介して広告に関するメッセージを受信する時、前記メッセージパース部１２０に提供することができる。
【０１１３】
これによって、前記メッセージパース部１２０は、前記制御部１４０から提供されたメッセージをパースして、前記メッセージに含まれたリンク情報を抽出したあと、前記制御部１４０に提供することができる。 
【０１１４】
また、前記制御部１４０は、リンク情報を前記ユーザー装置１０の通信部１２を介して前記広告サービスサーバー２００に転送することができる。
【０１１５】
以後、前記制御部１４０は、前記通信部１２を介して前記リンク情報に対応する広告コンテンツが受信された場合、広告コンテンツを前記ロック画面連動部１３０に提供することができて、該広告コンテンツをユーザー装置１０に構成されたメモリー部１４に保存することもできる。
【０１１６】
一方、前記ロック画面連動部１３０は、ユーザー装置１０のロック状態を感知して、ロック状態によるロック画面に前記広告コンテンツを前記ユーザー装置１０に構成された出力部１３を介して出力することができる。
【０１１７】
前述の構成で、前記制御部１４０は、前記ユーザー装置１０に既存のメッセージと異なる広告メッセージが受信される場合、前述の構成を介して前記広告サービスサーバー２００から前記異なる広告メッセージに対応して、受信した異なる広告コンテンツがロック画面に既存の広告コンテンツに替わって表示されるようにすることができる。
【０１１８】
また、前記制御部１４０は、前記メモリー部１４に保存された相異なる複数の広告コンテンツを予め設定された周期ごとに前記ロック画面に順番をかえて表示することもできる。
【０１１９】
これを通じて、前記アプリケーション部１００は、新しいメッセージが受信されるごとにロック画面に表示される広告コンテンツを毎回変更することができて、様々な広告コンテンツをユーザー装置１０のロック画面を介して提供することができる。
【０１２０】
一方、前記イベント感知部１５０は、前記制御部１４０と連動して、ユーザーインターフェース部１１を介するユーザー入力によって生成されたログ（ｌｏｇ）情報を分析して、該ログ情報に基づいて、予め設定されたイベントが発生した時、これにおけるイベント情報を生成して、前記制御部１４０に提供することができる。
【０１２１】
また、前記制御部１４０は、前記イベント情報及び予め設定された識別情報を、前記通信部１２を介して前記広告サービスサーバー２００に転送して、前記広告サービスサーバー２００で前記イベント情報によるリワードがユーザー装置１０のユーザーに対応して生成されるようにすることができる。
【０１２２】
この時、前記アプリケーション部１００は、リワード処理部１６０をさらに含むことができて、前記制御部１４０は、前記イベント情報を前記リワード処理部１６０に提供して、前記リワード処理部１６０は、前記イベント情報を予め設定されたリワード生成の条件と比べて一致する場合、該イベント情報に対応するリワード情報を生成して、前記制御部１４０に提供することができる。
【０１２３】
これを通じて、前記制御部１４０は、前記リワード情報及び前記識別情報を、前記通信部１２を介して前記広告サービスサーバー２００に転送して、前記ユーザー装置１０のユーザーに対応してリワードが積み立てられるようにすることができる。
【０１２４】
一方、図９は、本発明の実施例による広告サービスサーバー２００の詳細構成図であって、図示のように、広告用情報収集部２１０と、広告提供部２２０及びリワード管理部２３０とを含むことができる。
【０１２５】
前記広告用情報収集部２１０は、ユーザー装置１０に受信された広告メッセージに対応して、ユーザー装置１０から受信したリンク情報によって前記ランディングページに接続して、前記ランディングページで広告用情報を収集して、前記広告提供部２２０に提供することができる。
【０１２６】
この時、前記広告用情報収集部２１０は、前記広告用情報を前記リンク情報とマッチングして、コンテンツＤＢ２０１に保存することができる。
【０１２７】
一方、前記広告提供部２２０は、前記広告用情報収集部２１０から提供される広告用情報を予め設定されたコンテンツフォーマットによるレイアウトに採用して、ユーザー装置１０のロック画面に表示される広告コンテンツを生成して、これを前記ユーザー装置１０に転送することができる。
【０１２８】
また、前記リワード管理部２３０は、前記ユーザー装置１０から受信したイベント情報に基づいて、リワードを生成したあと、ユーザー装置１０の識別情報とマッチングして、会員ＤＢ２０２に累積積立することができる。
【０１２９】
さらに、前記リワード管理部２３０は、前記ユーザー装置１０からリワード情報を受信する時、前記リワード情報によるリワードを前記ユーザー装置１０の識別情報とマッチングして、会員ＤＢ２０２に累積積立することができる。
【０１３０】
他にも、前記リワード管理部２３０は、前記広告対象を販売する広告主サーバー３００に前記会員ＤＢ２０２からユーザーに対応して累積積立されたリワードにおけるリワード情報を抽出して、転送することができて、これを通じてユーザーの商品を購買する時、前記リワードを商品の割引に用いることができるように提供することができる。
【０１３１】
前述の構成を通じて、本発明は、広告対象における広告を依頼する広告主にユーザー装置１０に転送するための別途の広告コンテンツの製作を要求する必要なく、広告主から提供されるメッセージと広告主の広告対象におけるランディングページに基づいて、独自の広告主の広告対象に関する広告コンテンツを自動生成して、ユーザー装置１０のロック画面に表示されるようにすることができて、広告製作における広告主の負担を軽減させるとともに、広告便宜性を大きく高める効果がある。
【０１３２】
図１０は、本発明の実施例によるロック画面を用いるメッセージに基づく広告提供方法における順序図である。
【０１３３】
まず、ユーザー装置１０に構成されたアプリケーション部１００は、前記広告主サーバー３００から前記ユーザー装置１０に受信された広告メッセージをパースしたあと、前記広告メッセージに含まれる広告対象におけるリンク情報を抽出して（Ｓ１、Ｓ２）、ネットワークを介して前記広告サービスサーバー２００に転送することができる（Ｓ３）。
【０１３４】
次に、前記広告サービスサーバー２００は、前記ユーザー装置１０から受信したリンク情報に基づいて、前記広告対象のランディングページに接続して、該ランディングページから前記ユーザー装置１０のロック状態によるロック画面に対応して、予め設定されたコンテンツフォーマットと連関される広告用情報を収集することができる（Ｓ４）。
【０１３５】
以後、前記広告サービスサーバー２００は、前記ユーザー装置１０から受信したリンク情報に対応する広告対象の前記広告用情報を前記コンテンツフォーマットに採用して、広告コンテンツを生成することができる（Ｓ５）。
【０１３６】
次に、前記広告サービスサーバー２００は、前記広告コンテンツを、前記ネットワークを介して前記ユーザー装置１０のアプリケーション部１００に転送することができて（Ｓ６）、前記ユーザー装置１０のアプリケーション部１００は、前記広告サービスサーバー２００から受信した前記広告コンテンツを前記ユーザー装置１０のロック画面に表示して、ユーザー装置１０のロック画面で広告コンテンツが提供されるようにすることができる（Ｓ７）。
【０１３７】
本明細書に記述の様々な装置及び構成部は、ハードウェア回路（例えば、ＣＭＯＳに基づく論理回路）、ファームウェア、ソフトウェアー、または、これらの組み合わせによって具現することができる。例えば、様々な電気的構造の形でトランジスター、論理ゲート及び電子回路を活用して具現することができる。
【０１３８】
また、ユーザー装置の各々の構成部は、前記ユーザー装置のメモリー上に保存されるソフトウェアーであることがある。メモリーは、ユーザー装置の内部メモリーであることがあり、外付けメモリー、または、他の形の保存装置であることがある。また、メモリーは、不揮発性メモリーであることがある。メモリー上に保存されるソフトウェアーは、実行する時、ユーザー装置をして特定の動作を行うようにする命令セットを含むことができる。
【０１３９】
前述の内容は、本発明が属する技術分野で通常の知識を有する者であるならば、本発明の本質的な特性から外れない範囲で修正および変形が可能なはずである。従って、本発明に開示された実施例らは、本発明の技術事象を限定するためのものではなく、説明するためのものであり、このような実施例によって本発明の技術事象の範囲が限定されることはない。本発明の保護範囲は、次の特許請求の範囲によって解釈されるべきであって、それと同等な範囲内にある全ての技術事象は、本発明の権利範囲に含まれると解釈されるべきである。
【符号の説明】
【０１４０】
１０    ユーザー装置
１１    ユーザーインターフェース部
１２    通信部
１３    出力部
１４    メモリー部
１００    アプリケーション部
１１０    有効化部
１２０    メッセージパース部
１３０    ロック画面連動部
１４０    制御部
１５０    イベント感知部
１６０    リワード処理部
２００    広告サービスサーバー
２０１    コンテンツＤＢ
２０２    会員ＤＢ
２０３    コンテンツＤＢ
２１０    広告用情報収集部
２２０    広告提供部
２３０    リワード管理部
３００    広告主サーバー
４００    プッシュサーバー
【図１】
2019519832.tif 000003
【図２】
2019519832.tif 000004
【図３】
2019519832.tif 000005
【図４】
2019519832.tif 000006
【図５】
2019519832.tif 000007
【図６】
2019519832.tif 000008
【図７】
2019519832.tif 000009
【図８】
2019519832.tif 000010
【図９】
2019519832.tif 000011
【図１０】
2019519832.tif 000012
【国際調査報告】
2019519832.tif 000013
2019519832.tif 000014
2019519832.tif 000015
2019519832.tif 000016